(57)【要約】      （修正有）【課題】通信回線を介して省電力モードへの移行が完了したことを通知できるようにする。【解決手段】原稿の画像を読取る読取り制御部と、画像を用紙に印刷する印刷制御部とを有する画像形成装置において、前記読取り制御部は、前記印刷制御部から受信した省電力への移行指示にしたがって省電力への移行処理が完了すると、第２の通信制御部により通信を遮断し、前記印刷制御部は、第１の通信制御部により前記読取り制御部へ前記省電力への移行指示を送信した後、前記通信が遮断されたことを検知して電源制御部１１２により前記読取り制御部への電力供給を切断する。【選択図】図１
2012244606.tif 000002
【特許請求の範囲】
【請求項１】
原稿の画像を読取る読取り制御部と、画像を用紙に印刷する印刷制御部とを有する画像形成装置において、
前記印刷制御部に、
通信回線で接続された前記読取り制御部との間で通信を行うとともに、前記通信の状態を監視する第１の通信制御部と、
前記読取り制御部への電力供給を制御する電源制御部と、
前記読取り制御部に、
前記第１の通信制御部と前記通信回線で接続され、前記印刷制御部との間で通信を行うとともに、前記通信を遮断する第２の通信制御部とを備え、
前記読取り制御部は、前記印刷制御部から受信した省電力への移行指示にしたがって省電力への移行処理が完了すると、前記第２の通信制御部により前記通信を遮断し、
前記印刷制御部は、前記第１の通信制御部により前記読取り制御部へ前記省電力への移行指示を送信した後、前記通信が遮断されたことを検知して前記電源制御部により前記読取り制御部への電力供給を切断することを特徴とする画像形成装置。
【請求項２】
請求項１の画像形成装置において、
前記第１の通信制御部は、前記第２の通信制御部へ送信した指示に対する応答が受信できないとき、前記通信が遮断されたことを検知することを特徴とする画像形成装置。
【請求項３】
請求項１の画像形成装置において、
前記第１の通信制御部は、前記通信回線の信号状態が遮断状態であると判別したとき、前記通信が遮断されたと判別することを特徴とする画像形成装置。
【請求項４】
請求項１の画像形成装置において、
前記通信回線を、ＵＳＢ（Ｕｎｉｖｅｒｓａｌ  Ｓｅｒｉａｌ  Ｂｕｓ）とし、
前記第１の通信制御部は、前記通信回線の通信信号であるＤ＋およびＤ−がともにＬＯＷレベルのとき、前記通信が遮断されたと判別することを特徴とする画像形成装置。
【請求項５】
請求項１から請求項４のいずれか１項の画像形成装置において、
前記第１の通信制御部は、前記通信回線の主局であり、
前記第２の通信制御部は、前記通信回線の従局であることを特徴とする画像形成装置。
【請求項６】
請求項１から請求項５のいずれか１項の画像形成装置において、
前記読取り制御部は、セルフリフレッシュモードへ遷移可能な揮発性の記憶手段を備え、
前記省電力への移行処理は、前記読取り制御部に設定されている情報を前記記憶手段に記憶させるとともに、前記記憶手段をセルフリフレッシュモードへ遷移させる処理としたことを特徴とする画像形成装置。
【請求項７】
請求項６の画像形成装置において、
前記読取り制御部は、不揮発性の省電力移行情報記憶手段を備え、
前記省電力への移行処理は、省電力へ移行したことを示す情報を前記省電力移行情報記憶手段に記憶させる処理としたことを特徴とする画像形成装置。
【発明の詳細な説明】
【技術分野】
【０００１】
本発明は、消費電力を低減させる画像形成装置に関する。
【背景技術】
【０００２】
従来の画像形成装置は、予め定められた省電力モード移行条件を満足した場合、構成要素の中で特に消費電力が大きい定着器を含むプリンタエンジンへの電力供給を切断して消費電力を低減させる省電力モードへ移行するものがある。
また、近年では、プリンタエンジンに加え、制御部としてのプリンタコントローラ（印刷制御部）やスキャナコントローラ（読取り制御部）への電力供給を切断して、さらに消費電力を低減させているものがある（例えば、特許文献１参照）。
【０００３】
このような画像形成装置には、省電力モードに移行する場合、プリンタコントローラとスキャナコントローラとが互いにコミュニケーションをとり、プリンタコントローラがスキャナコントローラに省電力モードへ移行するように通知し、スキャナコントローラが省電力モードに移行した後、プリンタコントローラがスキャナコントローラの電力供給を切断するようにしているものがある。
【先行技術文献】
【特許文献】
【０００４】
【特許文献１】特開２０１０−２５００号公報（段落「００６３」〜段落「００６７」、図３）
【発明の概要】
【発明が解決しようとする課題】
【０００５】
しかしながら、上述した従来の技術においては、プリンタコントローラとスキャナコントローラとは、ＵＳＢ（Ｕｎｉｖｅｒｓａｌ  Ｓｅｒｉａｌ  Ｂｕｓ）等の通信回線で接続され、プリンタコントローラが通信回線を介してスキャナコントローラに省電力モードへ移行するように指示を通知した後、そのスキャナコントローラが省電力モードへの移行が完了したか否かの通知を行うために、その通信回線とは別の信号線を設ける必要があるという問題がある。
本発明は、このような問題を解決することを課題とし、通信回線を介して省電力モードへの移行が完了したことを通知できるようにすることを目的とする。
【課題を解決するための手段】
【０００６】
そのため、本発明は、原稿の画像を読取る読取り制御部と、画像を用紙に印刷する印刷制御部とを有する画像形成装置において、前記印刷制御部に、通信回線で接続された前記読取り制御部との間で通信を行うとともに、前記通信の状態を監視する第１の通信制御部と、前記読取り制御部への電力供給を制御する電源制御部と、前記読取り制御部に、前記第１の通信制御部と前記通信回線で接続され、前記印刷制御部との間で通信を行うとともに、前記通信を遮断する第２の通信制御部とを備え、前記読取り制御部は、前記印刷制御部から受信した省電力への移行指示にしたがって省電力への移行処理が完了すると、前記第２の通信制御部により前記通信を遮断し、前記印刷制御部は、前記第１の通信制御部により前記読取り制御部へ前記省電力への移行指示を送信した後、前記通信が遮断されたことを検知して前記電源制御部により前記読取り制御部への電力供給を切断することを特徴とする。
【発明の効果】
【０００７】
このようにした本発明は、通信回線を介して省電力モードへの移行が完了したことを通知できるという効果が得られる。
【図面の簡単な説明】
【０００８】
【図１】第１の実施例におけるプリンタコントローラの構成を示すブロック図
【図２】第１の実施例における画像形成装置の構成を示すブロック図
【図３】第１の実施例におけるスキャナ通信制御部の構成を示すブロック図
【図４】第１の実施例におけるスキャナコントローラの構成を示すブロック図
【図５】第１の実施例におけるプリンタ通信制御部の構成を示すブロック図
【図６】第１の実施例におけるプリンタコントローラの省電力モード移行処理を示すフローチャート
【図７】第１の実施例におけるスキャナコントローラの省電力モード移行処理を示すフローチャート
【図８】第１の実施例におけるプリンタコントローラの省電力モードからの復帰処理を示すフローチャート
【図９】第１の実施例におけるスキャナコントローラの省電力モードからの復帰処理を示すフローチャート
【図１０】第２の実施例におけるスキャナ通信制御部の構成を示すブロック図
【図１１】第２の実施例におけるプリンタ通信制御部の構成を示すブロック図
【図１２】第２の実施例におけるプリンタコントローラの省電力モード移行処理を示すフローチャート
【図１３】第２の実施例におけるスキャナコントローラの省電力モード移行処理を示すフローチャート
【図１４】第２の実施例におけるプリンタコントローラの省電力モードからの復帰処理を示すフローチャート
【図１５】第２の実施例におけるスキャナコントローラの省電力モードからの復帰処理を示すフローチャート
【発明を実施するための形態】
【０００９】
以下、図面を参照して本発明による画像形成装置の実施例を説明する。
【実施例１】
【００１０】
図２は第１の実施例における画像形成装置の構成を示すブロック図である。
図２において、画像形成装置としての複合機１００は、プリンタ、複写機、スキャナ装置、およびファクシミリ装置として用いられるものである。
【００１１】
複合機１００は、画像を用紙に印刷する印刷制御部としてのプリンタコントローラ１と、原稿の画像を読取る読取り制御部としてのスキャナコントローラ２と、プリントエンジン４と、スキャナ５と、ファクシミリとしてのＦＡＸ６と、操作部７と、メイン電源８と、サブ電源９とにより構成され、プリンタコントローラ１は通信回線を介して上位装置としてのホストＰＣ（Ｐｅｒｓｏｎａｌ  Ｃｏｍｐｕｔｅｒ）３と接続されている。また、プリンタコントローラ１は、ＵＳＢ（Ｕｎｉｖｅｒｓａｌ  Ｓｅｒｉａｌ  Ｂｕｓ）等の通信回線を介してスキャナコントローラ２と接続されている。
【００１２】
プリンタコントローラ１は、ＣＰＵ（Ｃｅｎｔｒａｌ  Ｐｒｏｃｅｓｓｉｎｇ  Ｕｎｉｔ）等の演算手段および制御手段やメモリ等の記憶手段等により構成され、プリントエンジン４の制御と、スキャナコントローラ２からのデータ受信制御と、ホストＰＣ３との間の通信制御とを行うとともに、複合機１００の電源制御を行うものである。
【００１３】
スキャナコントローラ２は、ＣＰＵ等の演算手段および制御手段やメモリ等の記憶手段等により構成され、スキャナ５の機構制御および原稿読取り制御と、ＦＡＸ６のデータ送受信制御と、操作部７の表示手段の表示制御および入力手段の入力制御とを行うものである。このスキャナコントローラ２は、スキャナ５で読取った原稿の画像データやＦＡＸ６で受信した画像データをプリンタコントローラ１へ送信する送信制御を行う。
【００１４】
ホストＰＣ３は、複合機１００で印刷するデータを生成し、ＵＳＢやＬＡＮ（Ｌｏｃａｌ  Ａｒｅａ  Ｎｅｔｗｏｒｋ）等の通信回線を介してそのデータを複合機１００へ送信し、また複合機１００から装置状態を表すステータス情報（以下、「ステータス」という。）等を受信するコンピュータである。
【００１５】
プリントエンジン４は、プリンタコントローラ１の指示に基づいて、プリンタコントローラ１においてホストＰＣ３から受信したデータまたはスキャナコントローラ２から受信した原稿の画像データから生成された画像形成データを紙媒体に印刷するものである。
スキャナ５は、操作部７からの指示やホストＰＣ３からの指示により、コピー機能やスキャン機能を実現するために原稿の読取りを行うものである。
ＦＡＸ６は、ファクシミリ装置であり、電話回線を介して画像データ等の送受信を行うものである。
【００１６】
操作部７は、液晶ディスプレイ等の表示手段や複数のスイッチやボタン等の入力手段から構成されるものであり、複合機１００の諸設定やコピーやスキャン等の動作の開始、省電力モードからの復帰指示等を行うユーザの操作を受け付けるものである。
メイン電源８は、複合機１００の主要部分の電源であり、省電力モードの場合には切断される電源である。
サブ電源９は、複合機１００の中で、省電力モード中も動作する部分への電力を供給するものであり、省電力モード中でも切断されない電源である。
【００１７】
このように構成された複合機１００は、メイン電源８およびサブ電源９から電力が供給されている通常モードにおいて待機状態が所定時間継続する等の所定の条件を満たすとメイン電源８からの電力供給を切断し、サブ電源９からの電力供給で動作する省電力モードへ移行する。
【００１８】
図１は第１の実施例におけるプリンタコントローラの構成を示すブロック図である。
図１において、プリンタコントローラ１は、メインＣＰＵ１０１と、プリンタＲＯＭ制御部１０２と、プリンタＲＯＭ１０３と、プリンタＲＡＭ制御部１０４と、プリンタＲＡＭ１０５と、スキャナ通信制御部１０６と、プリンタ制御部１０７と、サブＣＰＵ１０８と、サブＲＯＭ１０９と、ホスト通信制御部１１０と、スキャナ状態監視部１１１と、電源制御部１１２とにより構成され、それぞれの部位はメインＣＰＵバスおよびメインＤＭＡ（Ｄｉｒｅｃｔ  Ｍｅｍｏｒｙ  Ａｃｃｅｓｓ）バスによって接続されている。
【００１９】
メインＣＰＵバスは、メインＣＰＵ１０１およびサブＣＰＵ１０８からアクセス可能な部分が接続される内部バスである。また、メインＤＭＡバスは、スキャナ通信制御部１０６、プリンタ制御部１０７、およびホスト通信制御部１１０のようにプリンタＲＡＭ１０５と直接データの送受信を行う部位と、プリンタＲＡＭ制御部１０４とを接続している。
【００２０】
メインＣＰＵ１０１は、プリンタコントローラ１全体を制御する中央処理装置であり、プリンタＲＯＭ１０３またはプリンタＲＡＭ１０５からプログラム（ソフトウェア）をフェッチすることによって動作する。
プリンタＲＯＭ制御部１０２は、メインＣＰＵ１０１からプリンタＲＯＭ１０３へのアクセスを制御するものであり、メインＣＰＵバスのインタフェースからプリンタＲＯＭ１０３のインタフェースへの変換を行うものである。
【００２１】
プリンタＲＯＭ１０３は、不揮発性のメモリ（例えば、ＮＯＲ型のＦＬＡＳＨ  ＲＯＭやＮＡＮＤ型のＦＬＡＳＨ  ＲＯＭ等）であり、メインＣＰＵ１０１を動作させるためのプログラムが格納される。
プリンタＲＡＭ制御部１０４は、メインＣＰＵ１０１からのメインＣＰＵバスを介したプリンタＲＡＭ１０５へのアクセスや、スキャナ通信制御部１０６、プリンタ制御部１０７、およびホスト通信制御部１１０からのメインＤＭＡバスを介したアクセスを制御するものであり、メインＣＰＵバスおよびメインＤＭＡバスのそれぞれのバスのインタフェースからプリンタＲＡＭ１０５のインタフェースへの変換を行うものである。
【００２２】
プリンタＲＡＭ１０５は、揮発性で高速アクセスが可能なメモリ（例えば、ＤＤＲ  ＳＤＲＡＭやＤＤＲ２  ＳＤＲＡＭ、ＤＤＲ３  ＳＤＲＡＭのような揮発性のメモリデバイスでセルフリフレッシュモードがあるもの）であり、メインＣＰＵ１０１が動作するめのプログラムやスキャナコントローラ２から受信した原稿を読取った画像データやホストＰＣ３から受信した印刷データ等が格納される。なお、セルフリフレッシュとは、メモリデバイス単体でリフレッシュ動作を行い、メモリデバイスの外部からの制御がなくてもメモリ内容が保持できる機能のことである。
【００２３】
第１の通信制御部としてのスキャナ通信制御部１０６は、スキャナコントローラ２との通信を制御するものであり、図３に示すようにコマンド送信部１０６１と、ステータス受信部１０６２と、通信状態監視部１０６３とにより構成される。
図３において、コマンド送信部１０６１は、スキャナコントローラ２に対してコマンド（指令）を送信するものであり、省電力モードへの移行指示や原稿読取り画像データの有無やスキャナコントローラ２の状態を確認する指示を送信する。
【００２４】
ステータス受信部１０６２は、コマンド送信部１０６１から送信したコマンドに対するスキャナコントローラ２の応答を受信し、またスキャナコントローラ２のスキャナ５で読取った画像データを受信するものである。
通信状態監視部１０６３は、コマンド送信部１０６１から送信したコマンドに対するスキャナコントローラ２からの応答の有無を監視するものである。この通信状態監視部１０６３は、スキャナコントローラ２へ送信したコマンド（指示）に対する応答が受信できないとき、スキャナコントローラ２との通信が遮断されたことを検知する。
【００２５】
ここで、スキャナ通信制御部１０６は、通信制御のマスタ（主局）であり、スキャナコントローラ２（従局）との通信は、コマンド送信部１０６１によってコマンドを送信することで開始され、送信したコマンドに対するステータスをステータス受信部１０６２で受信することで完了する。
このように構成されたスキャナ通信制御部１０６は、ＵＳＢ等の通信回線で接続されたスキャナコントローラ２との間で通信を行うとともに、その通信の状態を監視する。
【００２６】
図１の説明に戻り、プリンタ制御部１０７は、プリンタＲＡＭ１０５に格納された読取り画像データや印刷データの画像処理を行い、画像処理したデータをプリントエンジン４へ送信するものである。
サブＣＰＵ１０８は、サブＲＯＭ１０９に格納されたプログラム（ソフトウェア）をフェッチして動作する中央処理装置であり、ホストＰＣ３との通信制御や複合機１００の電源制御を行うものである。
【００２７】
サブＲＯＭ１０９は、不揮発性のメモリ（例えば、ＮＯＲ型のＦＬＡＳＨ  ＲＯＭやＮＡＮＤ型のＦＬＡＳＨ  ＲＯＭ等）であり、サブＣＰＵ１０８を動作させるためのプログラムが格納される。
ホスト通信制御部１１０は、ホストＰＣ３との通信を制御するものであり、ホストＰＣ３から印刷データを受信し、またホストＰＣ３へ複合機１００のステータスを送信する。
【００２８】
スキャナ状態監視部１１１は、スキャナコントローラ２からの電源起動要求の有無を、信号線を介して監視するものである。
電源制御部１１２は、メイン電源８からの電力供給を制御するものであり、複合機１００が通常動作モードである場合には、図３に示すスキャナ通信制御部１０６の通信状態監視部１０６３の状況に応じてメインＣＰＵ１０１によってメイン電源８からの電力供給を切断し、複合機１００が省電力モードである場合には、スキャナ状態監視部１１１の状況に応じてサブＣＰＵ１０８によってメイン電源８からの電力供給を開始する。
【００２９】
なお、図中一点鎖線９ａで囲まれた部分が、サブ電源９から電力供給される部分であり、複合機１００が省電力モードになっても電力供給が切断されない。一方、一点鎖線９ａで囲まれていない部分は、複合機１００が省電力モードになった場合には電力供給が切断される。
また、後述するように、この電源制御部１１２によりスキャナコントローラ２への電力供給を制御することができるようになっている。
【００３０】
図４は第１の実施例におけるスキャナコントローラの構成を示すブロック図である。
図４において、スキャナコントローラ２は、スキャナＣＰＵ２０１と、スキャナＲＯＭ制御部２０２と、スキャナＲＯＭ２０３と、スキャナＲＡＭ制御部２０４と、スキャナＲＡＭ２０５と、プリンタ通信制御部２０６と、スキャナ制御部２０７と、ＦＡＸ制御部２０８と、操作制御部２０９と、復帰要因監視部２１０と、電源起動要求部２１１とにより構成され、それぞれの部位はスキャナＣＰＵバスおよびスキャナＤＭＡバスによって接続されている。
【００３１】
スキャナＣＰＵバスは、スキャナＣＰＵ２０１からアクセス可能な部分が接続される内部バスである。また、スキャナＤＭＡバスは、プリンタ通信制御部２０６およびスキャナ制御部２０７のようにスキャナＲＡＭ２０５と直接データの送受信を行う部位と、スキャナＲＡＭ制御部２０４とを接続している。
スキャナＣＰＵ２０１は、スキャナコントローラ２全体を制御する中央処理装置であり、スキャナＲＯＭ２０３またはスキャナＲＡＭ２０５からプログラム（ソフトウェア）をフェッチすることによって動作する。
【００３２】
スキャナＲＯＭ制御部２０２は、スキャナＣＰＵ２０１からスキャナＲＯＭ２０３へのアクセスを制御するものであり、スキャナＣＰＵバスのインタフェースからスキャナＲＯＭ２０３のインタフェースへの変換を行うものである。
スキャナＲＯＭ２０３は、不揮発性のメモリ（例えば、ＮＯＲ型のＦＬＡＳＨ  ＲＯＭやＮＡＮＤ型のＦＬＡＳＨ  ＲＯＭ等）であり、スキャナＣＰＵ２０１を動作させるためのプログラムが格納される。
【００３３】
スキャナＲＡＭ制御部２０４は、スキャナＣＰＵ２０１からのスキャナＣＰＵバスを介したスキャナＲＡＭ２０５へのアクセスや、プリンタ通信制御部２０６、およびスキャナ制御部２０７からのスキャナＤＭＡバスを介したアクセスを制御するものであり、スキャナＣＰＵバスおよびスキャナＤＭＡバスのそれぞれのバスのインタフェースからスキャナＲＡＭ２０５のインタフェースへの変換を行うものである。
【００３４】
記憶手段としてのスキャナＲＡＭ２０５は、揮発性で高速アクセスが可能なメモリ（例えば、ＤＤＲ  ＳＤＲＡＭやＤＤＲ２  ＳＤＲＡＭ、ＤＤＲ３  ＳＤＲＡＭのような揮発性のメモリデバイスでセルフリフレッシュモードがあるもの）であり、スキャナＣＰＵ２０１が動作するためのプログラムやスキャナ制御部２０７で原稿を読取った画像データ、ＦＡＸ制御部２０８で受信した画像データ等が格納される。
【００３５】
第２の通信制御部としてのプリンタ通信制御部２０６は、プリンタコントローラ１との通信を制御するものであり、図５に示すようにコマンド受信部２０６１と、ステータス送信部２０６２と、通信遮断部２０６３とにより構成される。
【００３６】
図５において、コマンド受信部２０６１は、プリンタコントローラ１から送信されるコマンドを受信するためのものであり、省電力モードへの移行指示や原稿読取り画像データの有無やスキャナコントローラ２の状態を確認する指示を受信する。
ステータス送信部２０６２は、コマンド受信部２０６１で受信したコマンドに対する応答をプリンタコントローラ１へ送信するものであり、各コマンドに対する応答に加え、スキャナ５で読取った画像データも送信する。
【００３７】
通信遮断部２０６３は、コマンド受信部２０６１でプリンタコントローラ１から省電力モードへの移行コマンドを受信し、スキャナコントローラ２の省電力モードへの移行処理が完了した後に、ステータス送信部２０６２の送信処理を停止させるものである。ステータス送信部２０６２の送信処理を停止させることにより、プリンタコントローラ１からのコマンドに対して応答しないようにすることができる。
【００３８】
ここで、プリンタ通信制御部２０６は、通信制御のスレーブ（従局）であり、プリンタコントローラ１（主局）との通信は、コマンド受信部２０６１によってコマンドを受信することで開始され、受信したコマンドに対するステータスをステータス送信部２０６２で送信することで完了する。
このように構成されたプリンタ通信制御部２０６は、ＵＳＢ等の通信回線で接続されたプリンタコントローラ１の図１に示すスキャナ通信制御部１０６との間で通信を行うとともに、その通信を遮断することができるようになっている。
【００３９】
図４の説明に戻り、スキャナ制御部２０７は、スキャナ５のイメージセンサ、モータ、クラッチ等を制御し、原稿の画像データを読取るものであり、読み取った画像データをスキャナＲＡＭ２０５へ送信する。
ＦＡＸ制御部２０８は、ＦＡＸ６のモデムを制御し、電話回線を介して画像データ等のデータの送受信を行うものであり、電話回線を介して受信したデータはスキャナＲＡＭ２０５へ送信し、また電話回線を介して送信するデータはスキャナＲＡＭ２０５から受信する。
【００４０】
操作部制御部２０９は、操作部７の表示手段の書き換えなどの制御を行うとともに、操作部７のスイッチや省電力解除ボタンを含む複数のボタンの押下状態を識別し、それに応じた制御を行うものである。
復帰要因監視部２１０は、ＦＡＸ６のモデムからの割込み信号状態や操作部７の省電力モード解除ボタンの押下状態を、省電力モードから通常モードへの復帰要因として監視するものであり、監視した状態を電源起動要求部２１１へ通知する。
【００４１】
電源起動要求部２１１は、プリンタコントローラ１への電源の起動を要求するものであり、複合機１００が省電力モードの場合に、復帰要因監視部２１０で省電力モードから通常モードへの復帰要因の発生を判別したとき、プリンタコントローラ１に電源の起動を要求する。
【００４２】
なお、図中一点鎖線９ｂ、９ｃで囲まれた部分が、サブ電源９から電力供給される部分であり、複合機１００が省電力モードになっても電力供給が切断されない。一方、一点鎖線９ｂ、９ｃで囲まれていない部分は、複合機１００が省電力モードになった場合には電力供給が切断される。
【００４３】
上述した構成の作用について説明する。
まず、複合機のプリンタコントローラが行う省電力モード移行処理を図６の第１の実施例におけるプリンタコントローラの省電力モード移行処理を示すフローチャートの図中Ｓで表すステップにしたがって図１および図２を参照しながら説明する。
【００４４】
Ｓ１：プリンタコントローラ１のメインＣＰＵ１０１は、省電力モードへの移行タイミングであるか否かを判別し、省電力モードへの移行タイミングであると判別すると処理をＳ２へ移行し、省電力モードへの移行タイミングでないと判別した場合、省電力モードへの移行タイミングを待機する。
ここで、省電力モードへの移行タイミングとは、ホストＰＣ３からのデータ受信が所定の時間を経過しても行われない場合やスキャナ５で原稿の読取りが所定の時間を経過しても行われなかった場合等の複合機１００の待機状態が所定の時間継続した場合である。
【００４５】
Ｓ２：メインＣＰＵ１０１は、図３に示すコマンド送信部１０６１を介してスキャナコントローラ２へ省電力モードへの移行コマンドを送信する。
Ｓ３：スキャナコントローラ２へ省電力モードへの移行コマンドを送信したメインＣＰＵ１０１は、プリンタコントローラ１で必要な諸情報をプリンタＲＡＭ１０５に記憶させて保存する。
【００４６】
ここで、プリンタコントローラ１で必要な諸情報とは、メインＣＰＵ１０１の動作に必要な動作設定情報や印刷制御で必要になる各種パラメータ等である。
また、メインＣＰＵ１０１は、プリンタコントローラ１で必要な諸情報をプリンタＲＡＭ１０５に保存するとともに、図示しないレジスタに省電力モードへの移行を示す情報を記憶させて保存する。このレジスタは、サブ電源９から電源供給される部分に存在し、省電力モードになっても記憶内容が消去されないものである。
【００４７】
Ｓ４：諸情報が保存されたプリンタＲＡＭ１０５は、メインＣＰＵ１０１によりプリンタＲＡＭ制御部１０４を介してセルフリフレッシュモードに設定される。
Ｓ５：プリンタＲＡＭ１０５をセルフリフレッシュモードに設定したメインＣＰＵ１０１は、図３に示すコマンド送信部１０６１を介してスキャナコントローラ２に、スキャナコントローラ２が省電力モードへ移行したことを確認するコマンドを送信する。
【００４８】
Ｓ６：メインＣＰＵ１０１が、スキャナコントローラ２が省電力モードへ移行したことを確認するコマンドを送信すると、図３に示す通信状態監視部１０６３は、コマンドに対する応答の有無を監視し、応答が有る場合、Ｓ５へ処理を移行し、再度スキャナコントローラ２が省電力モードへ移行したことを確認するコマンドを送信する。一方、コマンドに対する応答がない場合、処理をＳ７へ移行する。
【００４９】
Ｓ７：コマンドに対する応答がない場合、通信状態監視部１０６３は、スキャナコントローラ２との通信が遮断されたと判断してメインＣＰＵ１０１に通信が遮断されたことを通知し、メインＣＰＵは電源制御部１１２を介してメイン電源８からの電力供給を切断する。このようにしてプリンタコントローラ１は省電力モードに移行する。
【００５０】
次に、複合機のスキャナコントローラが行う省電力モード移行処理を図７の第１の実施例におけるスキャナコントローラの省電力モード移行処理を示すフローチャートの図中Ｓで表すステップにしたがって図２および図４を参照しながら説明する。
【００５１】
Ｓ１０：スキャナコントローラ２のスキャナＣＰＵ２０１は、プリンタ通信制御部２０６を介してプリンタコントローラ１から省電力モードへの移行コマンドを受信したか否かを判別し、省電力モードへの移行コマンドを受信したと判別すると処理をＳ１１へ移行し、省電力モードへの移行コマンドを受信していないと判別した場合、省電力モードへの移行コマンドの受信を待機する。
【００５２】
Ｓ１１：省電力モードへの移行コマンドを受信したと判別したスキャナＣＰＵ２０１は、スキャナコントローラ２で必要な諸情報をスキャナＲＡＭ２０５に記憶させて保存する。
ここで、スキャナコントローラ２で必要な諸情報とは、スキャナＣＰＵ２０１の動作に必要な動作設定情報や原稿の読取り制御、ＦＡＸ制御で必要になる各種パラメータ（設定情報）等である。
【００５３】
また、スキャナＣＰＵ２０１は、スキャナコントローラ２で必要な諸情報をプリンタＲＡＭ１０５に保存するとともに、図示しないレジスタに省電力モードへの移行を示す情報を記憶させて保存する。このレジスタは、サブ電源９から電源供給される部分に存在し、省電力モードになっても記憶内容が消去されないもの、すなわち不揮発性の省電力移行情報記憶手段である。
【００５４】
Ｓ１２：諸情報が保存されたスキャナＲＡＭ２０５は、スキャナＣＰＵ２０１によりスキャナＲＡＭ制御部２０４を介してセルフリフレッシュモードに設定（遷移）される。
Ｓ１３：スキャナＲＡＭ２０５をセルフリフレッシュモードに設定したスキャナＣＰＵ２０１は、図５に示す通信遮断部２０６３を介してステータス送信部２０６２の動作を停止させ、プリンタコントローラ１へのステータスの応答を停止する。
【００５５】
スキャナコントローラ２は、省電力モードへの移行処理の途中でも、プリンタコントローラ１からコマンドを受信した場合には、そのコマンドに応答するが、ここで、プリンタコントローラ１へのステータスの応答を停止することにより、プリンタコントローラ１との通信を遮断したことになる。
【００５６】
Ｓ１４：プリンタコントローラ１へのステータスの応答を停止したスキャナＣＰＵ２０１は、プリンタコントローラ１によりメイン電源８からの電力供給が切断されるのを待機し、メイン電源８からの電力供給が切断されることでスキャナコントローラ２は省電力モードに移行する。
【００５７】
このように、プリンタコントローラ１から省電力モードへ移行する指示の通知を受けたスキャナコントローラ２が、省電力モードへの移行処理を完了すると、プリンタコントローラ１との通信を遮断するようにしたことにより、プリンタコントローラ１とスキャナコントローラ２との間に省電力モードへの移行が完了したことを示す特別な信号線を設けることなく、プリンタコントローラ１はスキャナコントローラ２との間で通信が遮断されたことを検知してスキャナコントローラ２が省電力モードへの移行処理を完了したことを判別することができ、プリンタコントローラ１によりスキャナコントローラ２への電力供給を切断することができる。
【００５８】
次に、複合機のプリンタコントローラが行う省電力モードからの復帰処理を図８の第１の実施例におけるプリンタコントローラの省電力モードからの復帰処理を示すフローチャートの図中Ｓで表すステップにしたがって図１および図２を参照しながら説明する。
【００５９】
Ｓ２０：プリンタコントローラ１のサブＣＰＵ１０８は、電源起動要求の有無を判別し、電源起動要求があると判別すると処理をＳ２１へ移行し、電源起動要求がないと判別した場合、電源起動要求を待機する。
ここで、電源起動要求とは、ホスト通信制御部１１０でホストＰＣ３からのデータを受信することやスキャナ状態監視部１１１でスキャナコントローラ２から電源要求信号を受信することである。
【００６０】
Ｓ２１：電源起動要求があると判別したサブＣＰＵ１０８は、電源制御部１１２を介してメイン電源８からの電力供給を開始する。
Ｓ２２：メイン電源８からの電力供給が開始されるとメインＣＰＵ１０１は、プリンタＲＯＭ１０３からプログラムをフェッチし、電力供給される前（復帰前）の状態を確認する。
【００６１】
ここで、電力供給される前の状態の確認とは、メイン電源８およびサブ電源９の両方が切断された状態、すなわち複合機１００全体の電力供給が切断された状態、もしくは省電力モードの状態のいずれかであったことを確認することであり、図示しないレジスタに記憶されている内容を参照することにより、いずれかの状態であったかを確認することができる。このレジスタには、電力供給される前の状態が省電力モードであった場合には、省電力モードへ移行したことを示す情報が保存されており、一方電力供給される前の状態が複合機１００全体の電力供給が切断された状態であった場合には、情報が保存されていない初期状態になっている。
【００６２】
Ｓ２３：メインＣＰＵ１０１は、電力供給される前の状態が省電力モードであったと判定した場合、すなわち省電力モードから復帰したと判定した場合、処理をＳ２４へ移行し、一方電力供給される前の状態が複合機１００全体の電力供給が切断された状態であったと判定した場合、処理をＳ２６へ移行する。
【００６３】
Ｓ２４：電力供給される前の状態が省電力モードであったと判定したメインＣＰＵ１０１は、プリンタＲＡＭ制御部１０４を介してプリンタＲＡＭ１０５のセルフリフレッシュモードを解除して通常のリフレッシュモードに戻す。
【００６４】
Ｓ２５：プリンタＲＡＭ１０５を通常のリフレッシュモードに戻したメインＣＰＵ１０１は、省電力モードから通常モードへの復帰に必要な処理を行い、Ｓ２８へ移行する。ここで、省電力モードから通常モードへの復帰に必要な処理とは、省電力モードへ移行するときにプリンタＲＡＭ１０５に保存した情報を読み出し、この情報にしたがってメインＣＰＵ１０１が省電力モードへ移行する前と同等の動作ができるようにする処理である。
【００６５】
Ｓ２６：一方、Ｓ２３において、電力供給される前の状態が複合機１００全体の電力供給が切断された状態であったと判定したメインＣＰＵ１０１は、プリンタＲＯＭ制御部１０２を介してプリンタＲＯＭ１０３からプログラムをフェッチし、プリンタＲＡＭ１０５にアクセスするために、プリンタＲＡＭ制御部１０４の諸設定を行う。
ここで、プリンタＲＡＭ制御部１０４の諸設定とは、プリンタＲＡＭ１０５にアクセスするためのタイミング設定やメモリのマッピング設定等である。
【００６６】
Ｓ２７：プリンタＲＡＭ制御部１０４の諸設定を行ったメインＣＰＵ１０１は、プリンタＲＯＭ１０３に格納されているプログラムをプリンタＲＡＭ１０５にコピー（転送）し、以後プリンタＲＡＭ１０５からプログラムをフェッチして動作を行い、プリンタＲＡＭ制御部１０４以外の部位の初期化処理を行う。ここで、初期化処理とは、プリンタ制御部１０７が動作できるようにするための設定等である。
【００６７】
Ｓ２８：Ｓ２５における通常モードへの復帰に必要な処理またはＳ２７における初期化処理を行ったメインＣＰＵ１０１は、スキャナ通信制御部１０６を介してスキャナコントローラ２に状態確認コマンドを送信する。
Ｓ２９：スキャナコントローラ２に状態確認コマンドを送信したメインＣＰＵ１０１は、スキャナコントローラ２からの応答を確認し、応答がない場合は処理をＳ２８へ移行してスキャナコントローラ２からの応答を待機し、スキャナコントローラ２からの応答があった場合、スキャナコントローラ２との通信が可能になったと判断してプリンタコントローラ１は通常モードに移行（復帰）する。
【００６８】
次に、複合機のスキャナコントローラが行う省電力モードからの復帰処理を図９の第１の実施例におけるスキャナコントローラの省電力モードからの復帰処理を示すフローチャートの図中Ｓで表すステップにしたがって図２および図４を参照しながら説明する。
【００６９】
Ｓ３０：スキャナコントローラ２の復帰要因監視部２１０は、省電力モードからの復帰要因の有無を判別し、復帰要因があると判別すると処理をＳ３１へ移行し、復帰要因がないと判別した場合、復帰要因の発生を待機する。
Ｓ３１：復帰要因があると判別した復帰要因監視部２１０は、復帰要因があることを電源起動要求部２１１へ通知し、電源起動要求部２１１はプリンタコントローラ１に電源起動要求を通知する。
【００７０】
Ｓ３２：プリンタコントローラ１に電源起動要求を通知するとスキャナコントローラ２は、プリンタコントローラ１を介してメイン電源８から電力供給が開始されるのを待つ。
Ｓ３３：メイン電源８からの電力供給が開始されるとスキャナＣＰＵ２０１は、スキャナＲＯＭ２０３からプログラムをフェッチし、電力供給される前（復帰前）の状態を確認する。
【００７１】
ここで、電力供給される前の状態の確認とは、メイン電源８およびサブ電源９の両方が切断された状態、すなわち複合機１００全体の電力供給が切断された状態、もしくは省電力モードの状態のいずれかであったことを確認することであり、図示しないレジスタに記憶されている内容を参照することにより、いずれかの状態であったかを確認することができる。このレジスタには、電力供給される前の状態が省電力モードであった場合には、省電力モードへ移行したことを示す情報が保存されており、一方電力供給される前の状態が複合機１００全体の電力供給が切断された状態であった場合には、情報が保存されていない初期状態になっている。
【００７２】
Ｓ３４：スキャナＣＰＵ２０１は、電力供給される前の状態が省電力モードであったと判定した場合、すなわち省電力モードから復帰したと判定した場合、処理をＳ３５へ移行し、一方電力供給される前の状態が複合機１００全体の電力供給が切断された状態であったと判定した場合、処理をＳ３７へ移行する。
Ｓ３５：電力供給される前の状態が省電力モードであったと判定したスキャナＣＰＵ２０１は、スキャナＲＡＭ制御部２０４を介してスキャナＲＡＭ２０５のセルフリフレッシュモードを解除して通常のリフレッシュモードに戻す。
【００７３】
Ｓ３６：スキャナＲＡＭ２０５を通常のリフレッシュモードに戻したスキャナＣＰＵ２０１は、省電力モードから通常モードへの復帰に必要な処理を行い、Ｓ３９へ移行する。ここで、省電力モードから通常モードへの復帰に必要な処理とは、省電力モードへ移行するときにスキャナＲＡＭ２０５に保存した情報を読み出し、この情報にしたがってスキャナＣＰＵ２０１が省電力モードへ移行する前と同等の動作ができるようにする処理である。
【００７４】
Ｓ３７：一方、Ｓ３４において、電力供給される前の状態が複合機１００全体の電力供給が切断された状態であったと判定したスキャナＣＰＵ２０１は、スキャナＲＯＭ制御部２０２を介してスキャナＲＯＭ２０３からプログラムをフェッチし、スキャナＲＡＭ２０５にアクセスするために、スキャナＲＡＭ制御部２０４の諸設定を行う。
ここで、スキャナＲＡＭ制御部２０４の諸設定とは、スキャナＲＡＭ２０５にアクセスするためのタイミング設定やメモリのマッピング設定等である。
【００７５】
Ｓ３８：スキャナＲＡＭ制御部２０４の諸設定を行ったスキャナＣＰＵ２０１は、スキャナＲＯＭ２０３に格納されているプログラムをスキャナＲＡＭ２０５にコピー（転送）し、以後スキャナＲＡＭ２０５からプログラムをフェッチして動作を行い、スキャナＲＡＭ制御部２０４以外の部位の初期化処理を行う。ここで、初期化処理とは、スキャナ制御部２０７、ＦＡＸ制御部２０８、および操作部制御部２０９が動作できるようにするための設定等である。
【００７６】
Ｓ３９：Ｓ３６における通常モードへの復帰に必要な処理またはＳ３８における初期化処理を行ったスキャナＣＰＵ２０１は、プリンタ通信制御部２０６を介してプリンタコントローラ１に状態確認コマンドに対する応答として準備完了ステータスを送信し、通常モードに移行（復帰）する。
【００７７】
以上説明したように、第１の実施例では、プリンタコントローラから省電力モードへ移行する指示の通知を受けたスキャナコントローラが省電力モードへの移行が完了すると、プリンタコントローラとの通信を遮断するようにしたことにより、プリンタコントローラとスキャナコントローラとの間に省電力モードへの移行が完了したことを示す特別な信号線を設けることなく、プリンタコントローラはスキャナコントローラとの間で通信が遮断されたことを検知してスキャナコントローラが省電力モードへの移行が完了したことを判別することができるという効果が得られる。
【００７８】
また、プリンタコントローラは、スキャナコントローラが省電力モードへの移行が完了したことを検知した後にスキャナコントローラの電源を切断することができるようになるという効果が得られる。
【実施例２】
【００７９】
第２の実施例の構成は、プリンタコントローラのスキャナ通信制御部およびスキャナコントローラのプリンタ通信制御部が第１の実施例の構成と異なっている。その第２の実施例の構成を図１０の第２の実施例におけるスキャナ通信制御部の構成を示すブロック図および図１１の第２の実施例におけるプリンタ通信制御部の構成を示すブロック図に基づいて図１および図４を参照しながら説明する。なお、上述した第１の実施例と同様の部分は、同一の符号を付してその説明を省略する。
【００８０】
図１０において、第１の通信制御部としてのスキャナ通信制御部３０６は、コマンド送信部１０６１と、ステータス受信部１０６２と、信号状態監視部３０６３とにより構成されている。
信号状態監視部３０６３は、スキャナコントローラ２との間を接続するＵＳＢの通信信号の状態を監視し、通信信号が通信可能状態であるか、または遮断状態であるかを判別するものである。この信号状態監視部３０６３は、スキャナコントローラ２との間の通信回線としてのＵＳＢの信号状態が遮断状態であると判別したとき、スキャナコントローラ２との間の通信が遮断されたと判別する。
【００８１】
図１１において、プリンタ通信制御部４０６は、コマンド受信部２０６１と、ステータス送信部２０６２と、通信信号制御部４０６４とにより構成されている。
通信信号制御部４０６４は、コマンド受信部２０６１でプリンタコントローラ１から省電力モードへの移行コマンドを受信し、スキャナコントローラ２の省電力モードへの移行処理が完了した後、プリンタコントローラ１との通信信号の状態を遮断状態にするものである。
【００８２】
この通信信号制御部４０６４は、通常モードのときは、ステータス送信部２０６２から送信されるステータスを通信信号として出力するが、省電力モードへの移行処理が完了した後は、通信信号の状態を通信の遮断を示すレベルに固定する。
【００８３】
上述した構成の作用について説明する。
まず、複合機のプリンタコントローラが行う省電力モード移行処理を図１２の第２の実施例におけるプリンタコントローラの省電力モード移行処理を示すフローチャートの図中Ｓで表すステップにしたがって図１、図２および図１０を参照しながら説明する。
Ｓ１０１〜Ｓ１０４：図６におけるＳ１〜Ｓ４と同様の処理なのでその説明を省略する。
【００８４】
Ｓ１０５：プリンタＲＡＭ１０５をセルフリフレッシュモードに設定したメインＣＰＵ１０１は、図１０に示す信号状態監視部３０６３は、通信信号が遮断状態であるか否かを判別する。
ここで、通信信号が遮断状態であるとは、通常モードの通信状態では発生しないレベルの信号状態であることである。例えば、スキャナコントローラ２との通信がＵＳＢを使用する場合、通信が遮断された状態（省電力モード）では、通信信号であるＤ＋およびＤ−がともにＬＯＷレベルであることとする。これは、通常モードの通信状態では、通信信号であるＤ＋およびＤ−はともにＬＯＷレベルになることはないので、信号状態監視部３０６３は、通信信号であるＤ＋およびＤ−がともにＬＯＷレベルであることを検知して通信信号が遮断状態であると判別することができる。
【００８５】
信号状態監視部３０６３は、通信信号が遮断状態でないと判別すると通信信号が遮断状態になるまで待機し、一方通信信号が遮断状態であると判別するとスキャナコントローラ２との通信が遮断されたことをメインＣＰＵ１０１へ通知して処理をＳ１０６へ移行する。
【００８６】
Ｓ１０６：スキャナコントローラ２との通信が遮断されたことの通知を受けたメインＣＰＵは、電源制御部１１２を介してメイン電源８からの電力供給を切断する。このようにしてプリンタコントローラ１は省電力モードに移行する。
【００８７】
次に、複合機のスキャナコントローラが行う省電力モード移行処理を図１３の第２の実施例におけるスキャナコントローラの省電力モード移行処理を示すフローチャートの図中Ｓで表すステップにしたがって図２、図４および図１１を参照しながら説明する。
Ｓ１１０〜Ｓ１１２：図７におけるＳ１０〜Ｓ１２と同様の処理なのでその説明を省略する。
【００８８】
Ｓ１１３：スキャナＲＡＭ２０５をセルフリフレッシュモードに設定したスキャナＣＰＵ２０１は、図１１に示す通信信号制御部４０６４を介して通信信号を遮断状態にする。
ここで、通信信号を遮断状態にするとは、通信信号を通常モードの通信状態では発生しないレベルの信号状態にすることである。例えば、スキャナコントローラ２との通信がＵＳＢを使用する場合、通信が遮断された状態（省電力モード）では、通信信号であるＤ＋およびＤ−をともにＬＯＷレベルにする。これは、通常モードの通信状態では、通信信号であるＤ＋およびＤ−はともにＬＯＷレベルになることはないので、通信信号制御部４０６４は、通信信号であるＤ＋およびＤ−をともにＬＯＷレベルにすることにより、通信信号が遮断状態であることを表すことができる。
【００８９】
Ｓ１１４：プリンタコントローラ１への通信を遮断したスキャナＣＰＵ２０１は、プリンタコントローラ１によりメイン電源８からの電力供給が切断されるのを待機し、メイン電源８からの電力供給が切断されることでスキャナコントローラ２は省電力モードに移行する。
【００９０】
このように、プリンタコントローラ１が、スキャナコントローラ２との間の通信信号の状態により、スキャナコントローラ２との間の通信が遮断されたことを判別するようにしたことにより、スキャナコントローラ２は、プリンタコントローラ１からのコマンドに対するステータスを出力することなく、省電力モードへの移行が完了したことをプリンタコントローラ１に知らせることができる。
【００９１】
次に、複合機のプリンタコントローラが行う省電力モードからの復帰処理を図１４の第２の実施例におけるプリンタコントローラの省電力モードからの復帰処理を示すフローチャートの図中Ｓで表すステップにしたがって図１、図２および図１０を参照しながら説明する。
Ｓ１２０〜Ｓ１２７：図８におけるＳ２０〜Ｓ２７と同様の処理なのでその説明を省略する。
【００９２】
Ｓ１２８：Ｓ１２５における通常モードへの復帰に必要な処理またはＳ１２７における初期化処理を行ったメインＣＰＵ１０１は、スキャナ通信制御部１０６の信号状態監視部３０６３を介して通信信号の状態が通信可能状態か遮断状態かを判別し、通信信号の状態が遮断状態である場合、通信信号の状態が通信可能状態になるまで待機し、通信信号の状態が通信可能状態である場合、スキャナコントローラ２との通信が可能になったと判断してプリンタコントローラ１は通常モードに移行（復帰）する。
【００９３】
次に、複合機のスキャナコントローラが行う省電力モードからの復帰処理を図１５の第２の実施例におけるスキャナコントローラの省電力モードからの復帰処理を示すフローチャートの図中Ｓで表すステップにしたがって図２、図４および図１１を参照しながら説明する。
Ｓ１３０〜Ｓ１３８：図９におけるＳ３０〜Ｓ３８と同様の処理なのでその説明を省略する。
【００９４】
Ｓ１３９：Ｓ１３６における通常モードへの復帰に必要な処理またはＳ１３８における初期化処理を行ったスキャナＣＰＵ２０１は、プリンタ通信制御部２０６の通信信号制御部４０６４を介して通信信号の状態を通信可能状態にし、通常モードに移行（復帰）する。
【００９５】
以上説明したように、第２の実施例では、第１の実施例の効果に加え、プリンタコントローラがスキャナコントローラとの間の通信信号の状態により、スキャナコントローラとの間の通信が遮断されたことを判別するようにしたことにより、スキャナコントローラは、プリンタコントローラからのコマンドに対するステータスを出力することなく、省電力モードへの移行が完了したことをプリンタコントローラに知らせることができるという効果が得られる。
【００９６】
なお、第１の実施例および第２の実施例では、画像形成装置を複合機として説明したが、それに限られることなく、画像形成装置を複写機やファクシミリ装置等としても良い。
また、第１の実施例および第２の実施例では、プリンタコントローラおよびスキャナコントローラを複合機に実装した形態で説明したが、プリンタコントローラをプリンタに実装し、スキャナコントローラはスキャナに実装するようにしてプリンタとスキャナとは別々の装置とした形態であっても良い。
【符号の説明】
【００９７】
１    プリンタコントローラ
２    スキャナコントローラ
３    ホストＰＣ
４    プリントエンジン
５    スキャナ
６    ＦＡＸ
７    操作部
８    メイン電源
９    サブ電源
１００  複合機
１０１  メインＣＰＵ
１０２  プリンタＲＯＭ制御部
１０３  プリンタＲＯＭ
１０４  プリンタＲＡＭ制御部
１０５  プリンタＲＡＭ
１０６、３０６  スキャナ通信制御部
１０７  プリンタ制御部
１０８  サブＣＰＵ
１０９  サブＲＯＭ
１１０  ホスト通信制御部
１１１  スキャナ状態監視部
１１２  電源制御部
２０１  スキャナＣＰＵ
２０２  スキャナＲＯＭ制御部
２０３  スキャナＲＯＭ
２０４  スキャナＲＡＭ制御部
２０５  スキャナＲＡＭ
２０６、４０６  プリンタ通信制御部
２０７  スキャナ制御部
２０８  ＦＡＸ制御部
２０９  操作制御部
２１０  復帰要因監視部
２１１  電源起動要求部
【図１】
2012244606.tif 000003
【図２】
2012244606.tif 000004
【図３】
2012244606.tif 000005
【図４】
2012244606.tif 000006
【図５】
2012244606.tif 000007
【図６】
2012244606.tif 000008
【図７】
2012244606.tif 000009
【図８】
2012244606.tif 000010
【図９】
2012244606.tif 000011
【図１０】
2012244606.tif 000012
【図１１】
2012244606.tif 000013
【図１２】
2012244606.tif 000014
【図１３】
2012244606.tif 000015
【図１４】
2012244606.tif 000016
【図１５】
2012244606.tif 000017